【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
架橋網目構造を含むポリマー組成物であって、網目構造が、
ａ）式１、１−Ａ、１−Ｂ又は１−Ｃ
【化１】
2016508536.tif 000001
（式中、
Ｘは、Ｂｒ又はＩであり、
ｍは、３〜５の整数であり、
Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン又はＣ５〜Ｃ３６ヘテロアリーレンであり、
Ｌ１は、単結合、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、３つ以上のＩ、Ｂ又はＢｉによって置換されているＣ５〜Ｃ３０アリール又はＣ５〜Ｃ３０ヘテロアリールであり、
Ｒ２〜Ｒ８のそれぞれは独立に、水素又はＣ１〜Ｃ１０アルキルであり、
ｎは、１〜１６の範囲から選択される整数である）
のうちの１つにより表される第１の繰り返し単位と、
ｂ）式２
【化２】
2016508536.tif 000002
［式中、Ｒ９は、
【化３】
2016508536.tif 000003
（式中、Ｒ１１は、Ｃ６〜Ｃ２０アルキレンであり、ｎ４は、１〜５０の整数であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、ポリエーテル基、ポリエステル基、ポリカーボネート基、又は直鎖状若しくは分岐状の脂肪族基と芳香族基との組合せであり、Ｒ１６は、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、
ｎ５は、１〜５０の整数である）
である］
により表される第２の繰り返し単位と
を含み、
ポリマー組成物中の第１の繰り返し単位の量が、１５〜３５ｗｔ％であり、ポリマー組成物中の第２の繰り返し単位の量が、６５〜８５ｗｔ％である、ポリマー組成物。
【請求項２】
第１の繰り返し単位が、式１−Ｄ
【化４】
2016508536.tif 000004
（式中、ｎは、１〜８の整数であり、Ｘ１〜Ｘ５のそれぞれは、ヨウ素又は水素であり、Ｘ１〜Ｘ５のうちの少なくとも３つは、ヨウ素である）
により表される、請求項１に記載のポリマー組成物。
【請求項３】
Ｒ９が、
【化５】
2016508536.tif 000005
（式中、ｍは、１以上の整数である）
以外である、請求項１又は２に記載のポリマー組成物。
【請求項４】
第２の繰り返し単位が、式２−Ｂ
【化６】
2016508536.tif 000006
（式中、Ｒ１１は、Ｃ６〜Ｃ２０アルキレンであり、ｎ４は、１〜２５の整数である）
により表される、請求項１に記載のポリマー組成物。
【請求項５】
網目構造が、式７
【化７】
2016508536.tif 000007
［式中、Ｒ１４は、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、ポリエステルオリゴマー、ポリカーボネートオリゴマー、ポリウレタンオリゴマー、
【化８】
2016508536.tif 000008
（式中、Ｒ１０は、Ｃ４〜Ｃ２０アルキレンであり、ｎ３は、１〜５０の整数であり、又は
Ｒ１１は、Ｃ３〜Ｃ２０アルキレンであり、ｎ４は、１〜５０の整数であり、
Ｒ１４は、Ｒ９以外であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、ポリエーテル基、ポリエステル基、ポリカーボネート基、又は直鎖状若しくは分岐状の脂肪族基と芳香族基との組合せであり、Ｒ１６は、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、ｎ５は、１〜５０の整数である）
である］
により表されるさらなる繰り返し単位をさらに含む、請求項１に記載のポリマー組成物。
【請求項６】
第２の繰り返し単位と請求項５に記載の繰り返し単位との合計量が、ポリマー組成物の６５〜８５ｗｔ％である、請求項５に記載のポリマー組成物。
【請求項７】
ａ）式８、８−Ａ、８−Ｂ又は８−Ｃ
【化９】
2016508536.tif 000009
（式中、
Ｘは、Ｂｒ又はＩであり、
ｍは、３〜５の整数であり、
Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン又はＣ５〜Ｃ３６ヘテロアリーレンであり、
Ｌ１は、単結合、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、３つ以上のＩ、Ｂｒ又はＢｉ原子によって置換されているＣ５〜Ｃ３０アリール又はＣ５〜Ｃ３０ヘテロアリールであり、
Ｒ２〜Ｒ８のそれぞれは独立に、水素又はＣ１〜Ｃ１０アルキルであり、
ｎは、１〜１６の範囲から選択される整数である）
のうちの１つの一般構造を有する第１のモノマーと、
ｂ）式９
【化１０】
2016508536.tif 000010
［式中、Ｒ９は、
【化１１】
2016508536.tif 000011
（式中、Ｒ１１は、Ｃ６〜Ｃ２０アルキレンであり、ｎ４は、１〜５０の整数であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、シロキサン基、ポリエーテル基、ポリエステル基、ポリカーボネート基、又は直鎖状若しくは分岐状の脂肪族基と芳香族基との組合せであり、
Ｒ１６が、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、ｎ５は、１〜５０の整数である）
である］
の一般構造を有する第２のモノマーと
を含むモノマー混合物の重合により形成された架橋網目構造を含み、
第１のモノマーの量が、モノマー混合物の１５〜３５ｗｔ％であり、第２のモノマーの量が、モノマー混合物の６５〜８５ｗｔ％である、ポリマー組成物。
【請求項８】
第１のモノマーの構造が、式１３−Ａ
【化１２】
2016508536.tif 000012
により示され、Ｘ１〜Ｘ５のうちの少なくとも３つが、ヨウ素であり、ｎが、１〜８の整数である、請求項７に記載のポリマー組成物。
【請求項９】
第２のモノマーが、式９−Ａ
【化１３】
2016508536.tif 000013
（式中、Ｒ１１は、Ｃ６〜Ｃ２０アルキレンであり、ｎ４は、１〜２５の整数である）
の構造を有する、請求項７に記載のポリマー組成物。
【請求項１０】
混合物が、式１２
【化１４】
2016508536.tif 000014
［式中、Ｒ１４は、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、ポリエステルオリゴマー、ポリカーボネートオリゴマー、ポリウレタンオリゴマー、
【化１５】
2016508536.tif 000015
（式中、Ｒ１０は、Ｃ４〜Ｃ２０アルキレンであり、ｎ３は、１〜５０の整数であり、又は
Ｒ１１は、Ｃ３〜Ｃ２０アルキレンであり、ｎ４は、１〜５０の整数であり、
Ｒ１４は、Ｒ９以外であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、ポリエーテル基、ポリエステル基、ポリカーボネート基、又は直鎖状若しくは分岐状の脂肪族基と芳香族基との組合せであり、Ｒ１６が、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、ｎ５は、１〜５０の整数である）
である］
の一般構造を有するモノマーをさらに含む、請求項７に記載のポリマー組成物。
【請求項１１】
第２のモノマーと請求項１０に記載のモノマーとの合計量が、モノマー混合物の６５〜８５ｗｔ％である、請求項１０に記載のポリマー組成物。
【請求項１２】
架橋網目構造を含むポリマー組成物を作製するための方法であって、
ａ）ｉ）式８−Ａ、８−Ｂ又は８−Ｃ
【化１６】
2016508536.tif 000016
（式中、
Ｘは、Ｂｒ又はＩであり、
ｍは、３〜５の整数であり、
Ｒ１は、置換又は非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン又はＣ５〜Ｃ３６ヘテロアリーレンであり、
Ｌ１は、単結合、−（ＣＨ２）ｎ−、−（ＨＣＣＨ）ｎ−、−Ｏ−、−Ｓ−、−ＳＯ−、−ＳＯ２−、−ＳＯ３−、−ＯＳＯ２−、−ＮＲ２−、−ＣＯ−、−ＣＯＯ−、−ＯＣＯ−、−ＯＣＯＯ−、−ＣＯＮＲ３−、−ＮＲ４ＣＯ−、−ＯＣＯＮＲ５−、−ＮＲ６ＣＯＯ−、又は−ＮＲ７ＣＯＮＲ８−であり、
Ａｒ１は、３つ以上のＩ、Ｂｒ又はＢｉ原子によって置換されているＣ５〜Ｃ３０アリール又はＣ５〜Ｃ３０ヘテロアリールであり、
Ｒ２〜Ｒ８のそれぞれは独立に、水素又はＣ１〜Ｃ１０アルキルであり、
ｎは、１〜１６の範囲から選択される整数である）
のうちの１つの一般構造を有する第１のモノマー、及び
ｉｉ）式９
【化１７】
2016508536.tif 000017
［式中、Ｒ９は、
【化１８】
2016508536.tif 000018
（式中、Ｒ１１は、Ｃ６〜Ｃ２０アルキレンであり、ｎ４は、１〜５０の整数であり、Ｒ１４は、Ｒ９以外であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、ポリエーテル基、ポリエステル基、ポリカーボネート基、又は直鎖状若しくは分岐状の脂肪族基と芳香族基との組合せであり、Ｒ１６は、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、ｎ５は、１〜５０の整数である）
である］
の一般構造を有する第２のモノマー、及び
ｉｉｉ）フリーラジカル開始剤
を含むモノマー混合物を形成するステップと、
ｂ）モノマー混合物を重合させるステップと
を含む、方法。
【請求項１３】
ステップｂ）において、モノマー混合物が、６５℃〜１５０℃の間の温度に保持される、請求項１２に記載の方法。
【請求項１４】
方法が、ステップｂ）の後に硬化させるステップをさらに含み、硬化温度が、５０℃〜１５０℃であり、硬化時間が、５秒〜６０分である、請求項１２に記載の方法。
【請求項１５】
第１のモノマーの構造が、式１３−Ａ
【化１９】
2016508536.tif 000019
により示され、Ｘ１〜Ｘ５のうちの少なくとも３つが、ヨウ素であり、ｎが、１〜８の整数である、請求項１２に記載の方法。
【請求項１６】
第２のモノマーが、式９−Ａ
【化２０】
2016508536.tif 000020
（式中、Ｒ１１は、Ｃ６〜Ｃ２０アルキレンであり、ｎ４は、１〜２５の整数である）
の構造を有する、請求項１２に記載の方法。
【請求項１７】
第１のモノマーの量が、モノマー混合物の１５〜３５ｗｔ％である、請求項１２に記載の方法。
【請求項１８】
第２のモノマーの量が、モノマー混合物中のモノマーの総量の６５〜８５ｗｔ％である、請求項１２に記載の方法。
【請求項１９】
混合物が、式１２
【化２１】
2016508536.tif 000021
［式中、Ｒ１４は、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、ポリエステルオリゴマー、ポリカーボネートオリゴマー、ポリウレタンオリゴマー、
【化２２】
2016508536.tif 000022
（式中、Ｒ１０は、Ｃ４〜Ｃ２０アルキレンであり、ｎ３は、１〜５０の整数であり、又
は
Ｒ１１は、Ｃ３〜Ｃ２０アルキレンであり、ｎ４は、１〜５０の整数であり、Ｒ１５は、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、芳香族基、ケイ素含有基、ポリアルキルシロキサン基、ポリエーテル基、ポリエステル基、ポリカーボネート基、又は直鎖状若しくは分岐状の脂肪族基と芳香族基との組合せであり、Ｒ１６が、エーテル基、ケイ素含有基、ポリアルキルシロキサン基、ポリエーテル基、ポリエステル基、ポリカーボネート基、Ｃ３〜Ｃ２０アルキレン、脂肪族基、置換若しくは非置換のＣ２〜Ｃ３６アルキレン、Ｃ２〜Ｃ３６シクロアルキレン、Ｃ２〜Ｃ３６アルケニレン、Ｃ２〜Ｃ３６シクロアルケニレン、Ｃ２〜Ｃ３６アルキニレン、Ｃ５〜Ｃ３６アリーレン、Ｃ５〜Ｃ３６ヘテロアリーレン、又は芳香族基、又は脂肪族基と芳香族基との組合せであり、
ｎ５は、１〜５０の整数であり、Ｒ１４は、Ｒ９以外である）
である］
の一般構造を有するモノマーをさらに含む、請求項１２に記載の方法。
【請求項２０】
第１のモノマーの量が、モノマー混合物の１５〜３５ｗｔ％であり、第２のモノマーと請求項１９に記載のモノマーとの合計量が、モノマー混合物の６５〜８５ｗｔ％である、請求項１９に記載の方法。
【請求項２１】
ｎは、３〜８の整数である、請求項２に記載のポリマー組成物。
【請求項２２】
ポリマー組成物中の第１の繰り返し単位の量が、４０〜８０ｗｔ％である、請求項１に記載のポリマー組成物。
【請求項２３】
ｎは、３〜８の整数である、請求項８に記載のポリマー組成物。
【請求項２４】
ポリマー組成物中の第１の繰り返し単位の量が、４０〜８０ｗｔ％である、請求項７に記載のポリマー組成物。
【請求項２５】
ｎは、３〜８の整数である、請求項１５に記載の方法。
【請求項２６】
ポリマー組成物中の第１の繰り返し単位の量が、４０〜８０ｗｔ％である、請求項１２に記載の方法。